(57)【要約】【課題】先行ウエブと後行ウエブとの突き合わせ継ぎ及び重ね継ぎを、簡素な構成及び動作により短時間で高精度に行わせる。【解決手段】先行ウエブＷ１の搬送経路の下側に前保持部２ａ，後保持部２ｂ及び斜め保持部２ｃを備えるウエブ保持ユニット２を設け、搬送経路の上側に押え接合ローラ５と切断刃６０及び押え体６１を備える切断ユニット６とを設ける。後行ウエブＷ２は、搬送経路から離れた位置でウエブ保持ユニット２上を覆うようにセットされ、この後のウエブ保持ユニット２、押え接合ローラ５及び切断ユニット６の関連動作により先行ウエブＷ１と突き合わせ継ぎ又は重ね継ぎされる。【選択図】図１
2017075036.tif 000002
【特許請求の範囲】
【請求項１】
先行ウエブの末端に後行ウエブの先端を突き合わせて接合し、接合された後行ウエブを先行ウエブに連続して搬送経路に送り出すウエブの継ぎ合わせ方法において、
先行ウエブの搬送中に後行ウエブを、前記搬送経路から離れた位置で搬送方向の前後に並ぶ前保持部及び後保持部により下面側から保持させる第１工程と、
前記前保持部及び後保持部が保持する後行ウエブを前記搬送経路に接近させて搬送を休止した先行ウエブの下面に重ね、該先行ウエブの上面に転接する押えローラと前記前保持部との間、及び前記先行ウエブの上面に当接する押え体と前記後保持部との間に重なり部分を挟持させる第２工程と、
前記前保持部及び後保持部の間での切断刃の動作により、先行ウエブ及び後行ウエブを切断する第３工程と、
前記押え体を離反させて切断位置の後側に連続する先行ウエブの不要部分を除去し、前記前保持部及び後保持部間で先行ウエブ及び後行ウエブの切断端を突き合わせる第４工程と、
前記押えローラを後方に転動させ、該押えローラの周面に保持した接合テープを先行ウエブ及び後行ウエブの突き合わせ部の上面に押し付けて貼着し、貼着位置の前側に連続する後行ウエブの不要部分を除去する第５工程と、
前記前保持部及び後保持部の保持を解除して先行ウエブの搬送を再開し、前記接合テープにより先行ウエブに接合された後行ウエブを前記搬送経路に送り出す第６工程と
を含むことを特徴とするウエブの継ぎ合わせ方法。
【請求項２】
搬送を再開した先行ウエブの下面に接合ローラを、前記前保持部よりも前位置で転接させ、該接合ローラの周面の一部に保持した接合テープを前記突き合わせ部の下面に貼着する第７工程を更に含むことを特徴とする請求項１に記載のウエブの継ぎ合わせ方法。
【請求項３】
前記前保持部及び後保持部は、前記後行ウエブを上面への吸着により保持することを特徴とする請求項１又は請求項２に記載のウエブの継ぎ合わせ方法。
【請求項４】
前記押えローラは、前記接合テープを周面への吸着により保持することを特徴とする請求項１又は請求項２に記載のウエブの継ぎ合わせ方法。
【請求項５】
前記接合ローラは、前記接合テープを周面への吸着により保持することを特徴とする請求項２に記載のウエブの継ぎ合わせ方法。
【請求項６】
先行ウエブの末端部に後行ウエブの先端部を重ねて接合し、接合された後行ウエブを先行ウエブに連続して搬送経路に送り出すウエブの継ぎ合わせ方法において、
先行ウエブの搬送中に後行ウエブを、前記搬送経路から離れた位置で搬送方向の前後に並ぶ前保持部及び後保持部により下面側から保持させると共に、後保持部の後側に並ぶ斜め保持部により、後方を下とする傾斜姿勢で保持させる第１工程と、
前記前保持部及び後保持部により保持した後行ウエブを両保持部間で切断し、前記前保持部側の不要部分を除去する一方、前記後保持部側の後行ウエブの上面に、切断縁に沿って両面接合テープを貼着する第２工程と、
前記後保持部が保持する後行ウエブを前記搬送経路に接近させ、搬送を休止した先行ウエブに重ねて、前記両面接合テープにより接合する第３工程と、
接合位置の後側で重なる先行ウエブ及び後行ウエブを、前記後保持部と先行ウエブの上面に転接する押えローラとの間に挟持させると共に、挟持位置の後側に連続する先行ウエブを上面に当接する押え体により、前記斜め保持部が保持する後行ウエブの上方に離れた位置で保持させる第４工程と、
前記押えローラ及び押え体の間での切断刃の動作により先行ウエブを切断し、切断位置の後側に連続する先行ウエブの不要部分を除去する第５工程と、
前記押えローラを前方に転動させて前記両面接合テープによる貼着位置に押し付け、該両面接合テープによる接合を強化した後、前記前保持部、後保持部及び斜め保持部の保持を解除して先行ウエブの搬送を再開し、先行ウエブに接合された後行ウエブを前記搬送経路に送り出す第６工程と
を含むことを特徴とするウエブの継ぎ合わせ方法。
【請求項７】
搬送を再開した先行ウエブの下面に、前記前保持部よりも前位置で接合ローラを転接させ、該接合ローラの周面の一部に保持した接合テープを、先行ウエブ及び後行ウエブの下面に、該後行ウエブの切断端を跨いで貼着する第７工程を更に含むことを特徴とする請求項６に記載のウエブの継ぎ合わせ方法。
【請求項８】
前記前保持部、後保持部及び斜め保持部は、前記後行ウエブを上面への吸着により保持することを特徴とする請求項６又は請求項７に記載のウエブの継ぎ合わせ方法。
【請求項９】
前記押え体は、前記先行ウエブを下面への吸着により保持することを特徴とする請求項６又は請求項７に記載のウエブの継ぎ合わせ方法。
【請求項１０】
前記接合ローラは、前記接合テープを周面への吸着により保持することを特徴とする請求項７に記載のウエブの継ぎ合わせ方法。
【請求項１１】
先行ウエブの末端部に後行ウエブの先端部を接合し、接合された後行ウエブを先行ウエブに連続して搬送経路に送り出すウエブの継ぎ合わせ装置において、
前記搬送経路の下側で搬送方向の前後に並べて配してあり、搬送経路と対向する上面に後行ウエブを保持する前保持部、後保持部及び斜め保持部と、
前記前保持部、後保持部及び斜め保持部を支持して昇降し、搬送経路に対して接離移動させる昇降支持台と、
前記搬送経路の上側で搬送方向の前後に並べて配された押えローラ、切断刃及び押え体と、
該押えローラ、切断刃及び押え体を支持し、前記前保持部の上方に押えローラが対向する前位置と前記後保持部の上方に押えローラが対向する後位置との間で前後移動させる移動支持台と、
前記押えローラ、切断刃及び押え体を各別に昇降し、搬送経路に対して接離移動させる昇降アクチュエータと
を備えることを特徴とするウエブの継ぎ合わせ装置。
【請求項１２】
前記前保持部よりも前位置で前記搬送経路の下側に対向配置されており、周面の一部に接合テープを保持して前記搬送経路に対して接離移動し、接近時に前記先行ウエブ及び後行ウエブの下面に転接して前記接合テープを貼着する接合ローラを更に備えることを特徴とする請求項１１に記載のウエブの継ぎ合わせ装置。
【発明の詳細な説明】
【技術分野】
【０００１】
本発明は、ラミネートシート等のウエブを搬送経路の途中で継ぎ合わせるウエブの継ぎ合わせ方法、及びこの方法の実施に使用するウエブの継ぎ合わせ装置に関する。
【背景技術】
【０００２】
ラミネートシート等のウエブは、塗工、コーティング等の処理工程を経て各種の製品に仕上げられる。ウエブは、ロールに巻回された状態で供給され、該ロールから連続的に引き出されて所定の搬送経路を経て処理工程に送り込まれる。この際、ロールから新たに引き出されるウエブ（後行ウエブ）の先端を、先に搬送中のウエブ（先行ウエブ）の末端に継ぎ合わせる作業が必要である。
【０００３】
この継ぎ合わせは、先行ウエブの搬送を休止し、該先行ウエブの末端と後行ウエブの先端とを接合テープを使用して接合する手順で行われる。特許文献１、２には、以上の手順でのウエブの継ぎ合わせを自動的に実施可能とする方法及び装置が開示されている。
【０００４】
特許文献１、２に開示された方法は、先行ウエブの末尾部分を後行ウエブの先頭部分に重ね合わせ、この重ね合わせ部を、搬送経路の両側に搬送方向の前後に間隙を隔てて設けた各一対のウエブ保持部により挟持し、一側のウエブ保持部の間隙内で動作する切断刃により先行ウエブ及び後行ウエブを一括して切断した後、先行ウエブの後側及び後行ウエブの前側の不要部分を除去して切断端を突き合わせ、一側のウエブ保持部の保持を維持した状態で突き合わせ部の他側にテープ保持部に保持した接合テープを押し当て、該接合テープにより接合する方法である。
【０００５】
更に両面接合が必要な場合、一側のウエブ保持部による保持を解除して、同側においても他側と同様のテープ保持部に保持した接合テープを押し当てる。この押し当ては、他側のテープ保持部の押し当てを維持し、該テープ保持部による支持下で行われる。なお特許文献２においては、後行ウエブの先頭部分をロールから引き出し、対応するウエブ保持部にセットする作業も自動化されている。
【先行技術文献】
【特許文献】
【０００６】
【特許文献１】特許第２８８１６４６号公報
【特許文献２】特許第４８８６５９８号公報
【発明の概要】
【発明が解決しようとする課題】
【０００７】
特許文献１、２に記載の方法及び装置によれば、ウエブの継ぎ合わせを自動的に行わせることができる。一方、搬送経路の両側に配したウエブ保持部及びテープ保持部は、先行ウエブ及び後行ウエブの突き合わせ部に対向する準備位置で搬送経路に対して接離動作するため、一方の動作時には、他方を突き合わせ部から離れた待機位置に移動させておく必要がある。特許文献１、２においては、搬送経路の両側のウエブ保持部及びテープ保持部を夫々共通の支持台に支持し、この支持台の前後移動又は回転により準備位置と待機位置との間の移動を実現しており、このようなウエブ保持部及びテープ保持部を含む装置の構成が複雑であり、これらの動作を組み合わせて実施されるウエブの継ぎ合わせに時間を要するという問題がある。
【０００８】
特に、ウエブの搬送先が連続処理を必要とする処理工程である場合、継ぎ合わせ装置と搬送先との間にウエブを滞留させる滞留装置を設け、搬送休止を伴う継ぎ合わせ作業中には、滞留装置に滞留させてあるウエブを処理工程に送り込むことで連続処理を可能としているが、継ぎ合わせに時間を要する場合、滞留装置の大型化及び負荷の増大を招来することから、継ぎ合わせ作業の時間短縮が重要である。
【０００９】
また、特許文献１、２に記載の方法は、先行ウエブの末端と後行ウエブの先端とを突き合わせて接合する継ぎ合わせ、所謂、突き合わせ継ぎに特化された方法である一方、搬送先での処理内容によっては、先行ウエブの末端部分と後行ウエブの先端部分とを適長に亘って重ね、重なり部分を両面接合テープを用いて接合する継ぎ合わせ、所謂、重ね継ぎが必要となる場合があり、突き合わせ継ぎと重ね継ぎとの両方に対応し得る方法及び装置の実現が切望されている。
【００１０】
本発明は斯かる事情に鑑みてなされたものであり、先行ウエブと後行ウエブとの継ぎ合わせを、簡素な構成及び動作により短時間で高精度に行わせることができ、また突き合わせ継ぎ及び重ね継ぎの両方に対応可能なウエブの継ぎ合わせ方法及び継ぎ合わせ装置を提供することを目的とする。
【課題を解決するための手段】
【００１１】
本発明に係るウエブの継ぎ合わせ方法は、先行ウエブの末端に後行ウエブの先端を突き合わせて接合し、接合された後行ウエブを先行ウエブに連続して搬送経路に送り出すウエブの継ぎ合わせ方法において、先行ウエブの搬送中に後行ウエブを、前記搬送経路から離れた位置で搬送方向の前後に並ぶ前保持部及び後保持部により下面側から保持させる第１工程と、前記前保持部及び後保持部が保持する後行ウエブを前記搬送経路に接近させて搬送を休止した先行ウエブの下面に重ね、該先行ウエブの上面に転接する押えローラと前記前保持部との間、及び前記先行ウエブの上面に当接する押え体と前記後保持部との間に重なり部分を挟持させる第２工程と、前記前保持部及び後保持部の間での切断刃の動作により、先行ウエブ及び後行ウエブを切断する第３工程と、前記押え体を離反させて切断位置の後側に連続する先行ウエブの不要部分を除去し、前記前保持部及び後保持部間で先行ウエブ及び後行ウエブの切断端を突き合わせる第４工程と、前記押えローラを後方に転動させ、該押えローラの周面に保持した接合テープを先行ウエブ及び後行ウエブの突き合わせ部の上面に押し付けて貼着し、貼着位置の前側に連続する後行ウエブの不要部分を除去する第５工程と、前記前保持部及び後保持部の保持を解除して先行ウエブの搬送を再開し、前記接合テープにより先行ウエブに接合された後行ウエブを前記搬送経路に送り出す第６工程とを含むことを特徴とする
【００１２】
本発明においては、先行ウエブの搬送中に後行ウエブを前保持部及び後保持部に保持させておく。次に、前保持部及び後保持部を搬送経路に接近させて、これらが保持する後行ウエブを搬送を休止した先行ウエブの下面に重ね、前保持部と押えローラとの間、及び後保持部と押え体との間に挟持し、両保持部間での切断刃の動作により、先行ウエブ及び後行ウエブを切断し、先行ウエブ及び後行ウエブの切断端を前保持部及び後保持部間で突き合わせる。この後、押えローラを後方に転動させ、該押えローラの周面に保持された接合テープを突き合わせ部の上面に貼着し、先行ウエブの搬送を再開することで、接合テープにより接合された後行ウエブを搬送経路に送り出す。以上の手順は、搬送経路の下面側での前保持部及び後保持部の昇降移動と、上面側での押えローラ、切断刃及び押え体の昇降移動と、押えローラの前後移動とを組み合わせ、先行ウエブ及び後行ウエブの不要部分の除去を含めて簡素な構成及び動作により実現でき、多くの時間を必要としない。また先行ウエブ及び後行ウエブは、上下に重ね合わせ、前後を挟持した状態で切断されるから、切断端の突き合わせを高精度に実現し、先行ウエブの末端と後行ウエブの先端とを確実に突き合わせることができ、この後の接合により高精度での突き合わせ継ぎが可能となる。
【００１３】
また本発明に係るウエブの継ぎ合わせ方法は、搬送を再開した先行ウエブの下面に接合ローラを、前記前保持部よりも前位置で転接させ、該接合ローラの周面の一部に保持した接合テープを前記突き合わせ部の下面に貼着する第７工程を更に含むことを特徴とする。      
【００１４】
本発明においては、搬送再開時に先行ウエブの下面に接合ローラを転接させ、該接合ローラが保持する接合テープを突き合わせ部の下面に貼着するから、接合ローラを設けるだけの簡素な構成により両面接合を実現することができる。
【００１５】
また本発明に係るウエブの継ぎ合わせ方法は、前記前保持部及び後保持部が、前記後行ウエブを上面への吸着により保持することを特徴とする。
【００１６】
また本発明に係るウエブの継ぎ合わせ方法は、前記押えローラが、前記接合テープを周面への吸着により保持することを特徴とする。
【００１７】
また本発明に係るウエブの継ぎ合わせ方法は、前記接合ローラが、前記接合テープを周面への吸着により保持することを特徴とする。
【００１８】
これらの発明においては、前保持部及び後保持部における後行ウエブの保持、並びに、押えローラ及び接合ローラにおける接合テープの保持を、吸着の停止により適宜のタイミングで容易に解除することができる。
【００１９】
また本発明に係るウエブの継ぎ合わせ方法は、先行ウエブの末端部に後行ウエブの先端部を重ねて接合し、接合された後行ウエブを先行ウエブに連続して搬送経路に送り出すウエブの継ぎ合わせ方法において、先行ウエブの搬送中に後行ウエブを、前記搬送経路から離れた位置で搬送方向の前後に並ぶ前保持部及び後保持部により下面側から保持させると共に、後保持部の後側に並ぶ斜め保持部により、後方を下とする傾斜姿勢で保持させる第１工程と、前記前保持部及び後保持部により保持した後行ウエブを両保持部間で切断し、前記前保持部側の不要部分を除去する一方、前記後保持部側の後行ウエブの上面に、切断縁に沿って両面接合テープを貼着する第２工程と、前記後保持部が保持する後行ウエブを前記搬送経路に接近させ、搬送を休止した先行ウエブに重ねて、前記両面接合テープにより接合する第３工程と、接合位置の後側で重なる先行ウエブ及び後行ウエブを、前記後保持部と先行ウエブの上面に転接する押えローラとの間に挟持させると共に、挟持位置の後側に連続する先行ウエブを上面に当接する押え体により、前記斜め保持部が保持する後行ウエブの上方に離れた位置で保持させる第４工程と、前記押えローラ及び押え体の間での切断刃の動作により先行ウエブを切断し、切断位置の後側に連続する先行ウエブの不要部分を除去する第５工程と、前記押えローラを前方に転動させて前記両面接合テープによる貼着位置に押し付け、該両面接合テープによる接合を強化した後、前記前保持部、後保持部及び斜め保持部の保持を解除して先行ウエブの搬送を再開し、先行ウエブに接合された後行ウエブを前記搬送経路に送り出す第６工程とを含むことを特徴とする。
【００２０】
本発明においては、先行ウエブの搬送中に後行ウエブを前保持部、後保持部及び斜め保持部に保持させ、前保持部と後保持部との間で切断し、前保持部側で不要部分を除去し、後保持部側に残る後行ウエブの上面に切断縁に沿って両面テープを貼着するまでの前処理を実施する。次に、前保持部及び後保持部を搬送経路に接近させて、後保持部が保持する後行ウエブを搬送を休止した先行ウエブの下面に重ねて両面接合テープにより接合し、接合位置の前側で重なる先行ウエブ及び後行ウエブを後保持部及び押えローラ間に挟持し、接合部の後側の先行ウエブを、斜め保持部により保持された後行ウエブの上方に離れた位置で押え体により保持し、押えローラ及び押え体の間での切断刃の動作により切断する。この後、押えローラを前方に転動させ、両面接合テープの貼着位置に押し付けて接合を強化し、前保持部、後保持部及び斜め保持部による保持を解除して先行ウエブの搬送を再開し、先行ウエブに接合された後行ウエブを前記搬送経路に送り出す。以上の手順は、搬送経路の下面側での前保持部、後保持部及び斜め保持部の昇降移動と、上面側での押えローラ、切断刃及び押え体の昇降移動と、押えローラの前後移動とを組み合わせ、先行ウエブ及び後行ウエブの不要部分の除去を含めて簡素な構成及び動作により実現でき、また後行ウエブの切断は、先行ウエブの搬送中に、不要部分の除去及び両面接合テープの貼着を含めて先行ウエブの搬送中に完了するから、高精度での重ね継ぎを短時間で実現することができる。
【００２１】
また本発明に係るウエブの継ぎ合わせ方法は、搬送を再開した先行ウエブの下面に、前記前保持部よりも前位置で接合ローラを転接させ、該接合ローラの周面の一部に保持した接合テープを、先行ウエブ及び後行ウエブの下面に、該後行ウエブの切断端を跨いで貼着する第７工程を更に含むことを特徴とする。
【００２２】
本発明においては。搬送再開時に先行ウエブの下面に接合ローラを転接させ、該接合ローラが保持する接合テープを後行ウエブの切断端を跨いで貼着するから、両面接合テープによる接合を強化すると共に、切断端の引っ掛かりに起因する搬送阻害を未然に防止することができる。
【００２３】
また本発明に係るウエブの継ぎ合わせ方法は、前記前保持部、後保持部及び斜め保持部が、前記後行ウエブを上面への吸着により保持することを特徴とする。
【００２４】
また本発明に係るウエブの継ぎ合わせ方法は、前記押え体が、前記先行ウエブを下面への吸着により保持することを特徴とする。
【００２５】
また本発明に係るウエブの継ぎ合わせ方法は、前記接合ローラが、前記接合テープを周面への吸着により保持することを特徴とする。
【００２６】
これらの発明においては、前保持部、後保持部及び斜め保持部における後行ウエブの保持、押え体における先行ウエブの保持、並びに接合ローラにおける接合テープの保持を、吸着の停止により適宜のタイミングで容易に解除することができる。
【００２７】
本発明に係るウエブの継ぎ合わせ装置は、先行ウエブの末端部に後行ウエブの先端部を接合し、接合された後行ウエブを先行ウエブに連続して搬送経路に送り出すウエブの継ぎ合わせ装置において、前記搬送経路の下側で搬送方向の前後に並べて配してあり、搬送経路と対向する上面に後行ウエブを保持する前保持部、後保持部及び斜め保持部と、前記前保持部、後保持部及び斜め保持部を支持して昇降し、搬送経路に対して接離移動させる昇降支持台と、前記搬送経路の上側で搬送方向の前後に並べて配された押えローラ、切断刃及び押え体と、該押えローラ、切断刃及び押え体を支持し、前記前保持部の上方に押えローラが対向する前位置と前記後保持部の上方に押えローラが対向する後位置との間で前後移動させる移動支持台と、前記押えローラ、切断刃及び押え体を各別に昇降し、搬送経路に対して接離移動させる昇降アクチュエータとを備えることを特徴とする。
【００２８】
本発明においては、搬送経路の下側での前保持部、後保持部及び斜め保持部の動作、並びに、搬送経路の上側での押えローラ、切断刃及び押え体の動作の組み合わせにより、突き合わせ継ぎ及び重ね継ぎによりウエブの継ぎ合わせを、短時間で高精度に実現することができる。
【００２９】
また本発明に係るウエブの継ぎ合わせ装置は、前記前保持部よりも前位置で前記搬送経路の下側に対向配置されており、周面の一部に接合テープを保持して前記搬送経路に対して接離移動し、接近時に前記先行ウエブ及び後行ウエブの下面に転接して前記接合テープを貼着する接合ローラを更に備えることを特徴とする。
【００３０】
本発明においては、前保持部よりも前位置で搬送経路に対して接離移動する接合ローラを設けることにより、両面接合による突き合わせ継ぎ、及び切断端の処理を含めた重ね継ぎを実現することができる。
【発明の効果】
【００３１】
本発明に係るウエブの継ぎ合わせ方法及びウエブの継ぎ合わせ装置によれば、先行ウエブの末端と後行ウエブの先端との切断及び接合を含む継ぎ合わせを、簡素な構成及び動作により、短時間で高精度に行わせることが可能となる。
【図面の簡単な説明】
【００３２】
【図１】実施の形態に係る継ぎ合わせ装置の概略構成を示す側面図である。
【図２】図１に示す継ぎ合わせ装置により実施される突き合わせ継ぎの手順説明図である。
【図３】図１に示す継ぎ合わせ装置により実施される突き合わせ継ぎの手順説明図である。
【図４】図１に示す継ぎ合わせ装置により実施される突き合わせ継ぎの手順説明図である。
【図５】図１に示す継ぎ合わせ装置により実施される突き合わせ継ぎの手順説明図である。
【図６】図１に示す継ぎ合わせ装置により実施される突き合わせ継ぎの手順説明図である。
【図７】図１に示す継ぎ合わせ装置により実施される突き合わせ継ぎの手順説明図である。
【図８】図１に示す継ぎ合わせ装置により実施される突き合わせ継ぎの手順説明図である。
【図９】図１に示す継ぎ合わせ装置により実施される突き合わせ継ぎの手順説明図である。
【図１０】図１に示す継ぎ合わせ装置により実施される突き合わせ継ぎの手順説明図である。
【図１１】図１に示す継ぎ合わせ装置により実施される重ね継ぎの手順説明図である。
【図１２】図１に示す継ぎ合わせ装置により実施される重ね継ぎの手順説明図である。
【図１３】図１に示す継ぎ合わせ装置により実施される重ね継ぎの手順説明図である。
【図１４】図１に示す継ぎ合わせ装置により実施される重ね継ぎの手順説明図である。
【図１５】図１に示す継ぎ合わせ装置により実施される重ね継ぎの手順説明図である。
【図１６】図１に示す継ぎ合わせ装置により実施される重ね継ぎの手順説明図である。
【図１７】図１に示す継ぎ合わせ装置により実施される重ね継ぎの手順説明図である。
【図１８】図１に示す継ぎ合わせ装置により実施される重ね継ぎの手順説明図である。
【図１９】図１に示す継ぎ合わせ装置により実施される重ね継ぎの手順説明図である。
【図２０】先行ウエブ及び後行ウエブの接合部分の拡大図である。
【発明を実施するための形態】
【００３３】
以下、本発明をその実施の形態を示す図面に基づき具体的に説明する。図１は実施の形態に係る継ぎ合わせ装置の概略構成を示す側面図である。以下の説明においては、図中の上、下及び左、右を使用する。
【００３４】
継ぎ合わせ装置は、ウエブ保持ユニット２、接合ローラ３、支えローラ４、押え接合ローラ５及び切断ユニット６を備えており、これらは、ベース１の略水平な上面から垂直に立ち上がる支持フレーム１０に後述の如く支持されている。
【００３５】
また支持フレーム１０には、上下方向の中央部の左右両側に一対のガイドローラ１１、１１が支持されている。これらのガイドローラ１１、１１は、支持フレーム１０に対して垂直で、互いに平行をなす各別の軸周りに回転自在であり、先行ウエブＷ１をガイドする作用をなす。なお支持フレーム１０は、紙面の表裏方向に対向するように２つ設けられ、ガイドローラ１１、１１は、２つの支持フレーム１０、１０の対向面間に横架され、両持ち状態で支持されている。
【００３６】
先行ウエブＷ１は、図１中に一点鎖線により示す如く右上方から供給され、ガイドローラ１１、１１の下側を経て上方に導かれ、図示しない送りローラの回転により、塗工、コーティング等の処理工程に送り出される。継ぎ合わせ装置内において先行ウエブＷ１は、図中に矢符により示す如く、左右のガイドローラ１１、１１間の略水平な搬送経路に沿って左向きに搬送される。
【００３７】
支持フレーム１０の下部には、左右方向の略中央に昇降シリンダ７０が固定支持されている。昇降シリンダ７０は、上方に延びる出力ロッドを有し、大ストロークの進退動作をなすエアシリンダであり、前記出力ロッドの上端には、昇降支持台７が取り付けてある。昇降支持台７は、左右方向に延びており、中央上部、左側端部及び右側端部に昇降シリンダ７１、７２、７３を夫々固定支持している。
【００３８】
昇降シリンダ７１、７２、７３は、上方に延びる出力ロッドを有し、昇降シリンダ７０よりも小ストロークの進退動作をなすエアシリンダであり、中央の昇降シリンダ７１の出力ロッドの上端には、前述したウエブ保持ユニット２が取り付けてある。また左側の昇降シリンダ７２の出力ロッドの上端には、前述した接合ローラ３が支持ブラケット３０を介して取り付けられ、右側の昇降シリンダ７３の出力ロッドの上端には、前述した支えローラ４が支持ブラケット４０を介して取り付けられている。
【００３９】
ウエブ保持ユニット２は、左右のガイドローラ１１、１１間で先行ウエブＷ１の搬送経路を下側から臨む位置に、搬送方向の前後（図における左右）に並設された前保持部２ａ及び後保持部２ｂを備え、更に後保持部２ｂの後側に連続する斜め保持部２ｃを備えている。前保持部２ａ、後保持部２ｂ及び斜め保持部２ｃは、図示しない吸気源に接続された中空の吸気箱である。前保持部２ａ及び後保持部２ｂは、搬送経路と正対する夫々の上面に吸着パッドにより覆われた吸着面を有し、斜め保持部２ｃは、搬送経路に対して右側を下として傾斜する面に吸着パッドにより覆われた吸着面を有している。
【００４０】
先行ウエブＷ１の搬送中にウエブ保持ユニット２は、図１に示す如く、搬送経路の下方に十分離れた待機位置にあり、この待機位置で後行ウエブＷ２を保持する。後行ウエブＷ２は、右下方に位置する保持ロール（図示せず）から引き出され、図１中に一点鎖線により示す如く、待機位置にあるウエブ保持ユニット２の上部を覆い、前保持部２ａの左側に適長垂れ下がった状態にセットされ、前保持部２ａ、後保持部２ｂ及び斜め保持部２ｃの後述する動作により夫々の吸着面に吸着保持される。
【００４１】
また前保持部２ａの左側に垂れ下がる後行ウエブＷ２の先端部は、同位置に設けた引取りロール２０に保持させる。引取りロール２０は、金属製のロールであり、エアシリンダ等のアクチュエータ（図示省略）の動作により昇降可能である。引取りロール２０は、粘着テープを使用して後行ウエブＷ２の先端を外周面に粘着保持し、後述する切断によって生じる先端側の不要部分を、保持位置からの下降によって引取り除去する。図１中には、下降した引き取りロール２０を２点鎖線により示してある。
【００４２】
以上の後行ウエブＷ２のセットは、先行ウエブＷ１の搬送中に、待機位置にあるウエブ保持部２上で実施される作業であり、作業者の手作業により、余裕をもって確実に行わせることができるが、特許文献２に開示されたような専用の装置により、保持ロールからの引き出しを含めて自動的に行わせることも可能である。
【００４３】
ウエブ保持ユニット２は、昇降シリンダ７０の動作により昇降支持台７と共に上昇し、待機位置から準備位置に移動する。ウエブ保持ユニット２に吸着保持された後行ウエブＷ２は、準備位置への移動により先行ウエブＷ１の搬送経路に近接する。ウエブ保持ユニット２は、昇降シリンダ７１の動作により準備位置から更に上昇して動作位置に移動する。動作位置への移動は、後述の如く、先行ウエブＷ１の搬送を休止して実施される。ウエブ保持ユニット２に吸着保持された後行ウエブＷ２は、動作位置への移動により搬送経路上の先行ウエブＷ１に下側から重なる。
【００４４】
接合ローラ３は、左側のガイドローラ１１の下方に正対する位置で、ガイドローラ１１と平行をなす軸周りに回転自在に支持されている。この接合ローラ３は、図示しない吸気源に接続された中空のローラであり、吸気源の吸気により周面の一部に接合テープ３１を吸着保持する、
【００４５】
先行ウエブＷ１の搬送中に接合ローラ３は、図１に示す如く、搬送経路の下方に十分離れた待機位置にある。接合テープ３１は、待機位置にある接合ローラ３の左向きの吸着面にセットし、該吸着面に吸着保持させる。接合テープ３１のセット作業は、先行ウエブＷ１の搬送中に実施される作業であり、作業者の手作業により確実に行わせることができるが、吸着面に対向して設けた適宜の装置により行わせることも可能である。
【００４６】
接合ローラ３は、昇降シリンダ７０の動作により、ウエブ保持ユニット２と共に上昇して準備位置に移動し、先行ウエブＷ１の搬送経路に近接する。また接合ローラ３は、昇降シリンダ７２の動作により更に上昇して動作位置に移動する。動作位置への移動は、後述の如く先行ウエブＷ１の搬送を休止した状態で実施され，接合ローラ３は、左側のガイドローラ１１に先行ウエブＷ１を介して転接し、該先行ウエブＷ１をガイドローラ１１との間に挟持する。なお、接合ローラ３は、図示しないロック機構を有しており、待機位置での接合テープ３１のセット、その後の準備位置及び動作位置への移動は、ロック機構の動作により接合ローラ３を非回転状態に保って行われる。
【００４７】
支えローラ４は、右側のガイドローラ１１の下方に対向する位置で、ガイドローラ１１と平行をなす軸周りに回転自在に支持されている。この支えローラ４は、昇降シリンダ７０の動作により、昇降支持台７、ウエブ保持ユニット２及び接合ローラ３と共に待機位置から準備位置に移動する。また支えローラ４は、待機位置及び準備位置の夫々において昇降シリンダ７３の動作により昇降し、図１に示す上支え位置と、該位置から下降した下支え位置との間を移動する。
【００４８】
上支え位置において支えローラ４は、ウエブ保持ユニット２の前保持部２ａ及び後保持部２ｂと略一致し、後述の如く実施される突き合わせ継ぎに際し、前保持部２ａ及び後保持部２ｂの右側で後行ウエブＷ２を下方から支える。一方、下支え位置において支えローラ４は、ウエブ保持ユニット２の斜め保持部２ｃよりも下方に位置し、後述の如く実施される重ね継ぎに際し、斜め保持部２ｃへの吸着部の右側で後行ウエブＷ２を下方から支える。
【００４９】
一方、支持フレーム１０の上部には、移動シリンダ８０が固定支持されている。移動シリンダ８０は、右方に延びる出力ロッドを有するエアシリンダである。移動シリンダ８０の出力ロッドの先端には、移動支持台８が取り付けてあり、該移動支持台８には、左右に並べて昇降アクチュエータ８１、８２が支持されている。昇降アクチュエータ８１、８２は、例えば、下方に延びる出力ロッドを有するエアシリンダであり、左側の昇降アクチュエータ８１の出力ロッドの下端には、前述した押え接合ローラ５が支持ブラケット５０を介して取り付けてあり、また右側の昇降アクチュエータ８２の出力ロッドの下端には、前述した切断ユニット６が取り付けてある。
【００５０】
押え接合ローラ５及び切断ユニット６は、移動シリンダ８０の動作により移動支持台８と共に左右方向に移動する。後述する突き合わせ継ぎを実施する場合、押え接合ローラ５及び切断ユニット６は、図１に示す左位置にある。このとき押え接合ローラ５は、ウエブ保持ユニット２の前保持部２ａの上方に対向し、切断ユニット６は、後保持部２ｂの上方に対向し、切断刃６０の先端は、前保持部２ａ及び後保持部２ｂの間に正対する。一方、後述する重ね継ぎを実施する場合、押え接合ローラ５及び切断ユニット６は、左位置の右方に所定長離れた右位置（図１２参照）に移動する。このとき押え接合ローラ５は、後保持部２ｂの上方に対向し、切断ユニット６は、後保持部２ｂの上方から右側に外れて位置する。
【００５１】
先行ウエブＷ１の搬送中に押え接合ローラ５及び切断ユニット６は、図１に示す如く、搬送経路の上方に離れた待機位置にあり、昇降アクチュエータ８１、８２の動作により夫々下降して動作位置に移動する。動作位置への移動は、後述の如く、先行ウエブＷ１の搬送を休止して実施される。
【００５２】
押え接合ローラ５は、接合ローラ３と同様、図示しない吸気源に接続された中空のローラであって、吸気源の吸気により周面の一部に接合テープ５１を吸着保持し、ガイドローラ１１と平行をなす軸周りに回転可能である。接合テープ５１は、後述する突き合わせ継ぎを実施する場合に、待機位置にある押え接合ローラ５の右下向きの吸着面にセットし、該吸着面に吸着保持させる。後述する重ね継ぎを実施する場合、接合テープ５１の保持は不要であり、押え接合ローラ５は、後述する如く押えローラとして機能する。
【００５３】
押え接合ローラ５は、この後に下降して動作位置に移動し、搬送経路上の先行ウエブＷ１の上面に当接し、ウエブ保持ユニット２との間に、先行ウエブＷ１及び後行ウエブＷ２を上下に重ねて挟持する。押え接合ローラ５は、接合ローラ３と同様のロック機構を有しており、待機位置での接合テープ５１のセット、その後の動作位置への移動は、ロック機構の動作により押え接合ローラ５を非回転状態に保って行われる。
【００５４】
なお押え接合ローラ５は、待機位置において、紙面の手前側又は奥側に引き出し可能としてある。この引き出しは、支持フレーム１０の該当位置に開設した窓穴１２を利用して行わせる。これにより、前述した接合テープ５１のセットを、接合ローラ５を引き出した状態で実施することができ、切断ユニット６等、吸着面に近接する周辺部品の存在に煩わされずにセット作業を実施できる。窓穴１２は、運転状態の監視、各種のメンテナンス作業の際にも利用される。
【００５５】
切断ユニット６は、左下部に切断刃６０を備え、該切断刃６０の右側に押え体６１を備えている。図に示す押え体６１は、ウエブ保持ユニット２の前保持部２ａ、後保持部２ｂ及び斜め保持部２ｃと同様、図示しない吸気源に接続された中空の吸気箱とし、搬送経路と正対する下面に吸着パッドにより覆われた吸着面を有している。押え体６１は、前述した動作位置への移動により先行ウエブＷ１に上側から当接し、該先行ウエブＷ１を吸着面に吸着保持する。また後述する突き合わせ継ぎの際には、同位置に上昇するウエブ保持ユニット２の後保持部２ｂとの間に、先行ウエブＷ１及び後行ウエブＷ２を上下に重ねて挟持する。押え体６１は、吸着による保持機能を有さなくてもよい。
【００５６】
切断刃６０は、切断シリンダ６２の出力端に取り付けてあり、左斜め下方に延びる先端に切刃を備えている。この切刃は、図１に示す待機位置では搬送経路の上方に位置しており、動作位置への移動により、先行ウエブＷ１及び後行ウエブＷ２の幅方向一側に外れた位置で搬送経路に達する位置まで下降する。
【００５７】
切断シリンダ６２は、紙面に直交する方向に長ストロークの進退動作をなすエアシリンダである。切断刃６０は、動作位置への移動後の切断シリンダ６２の動作により、搬送経路を横切るように往復移動し、先行ウエブＷ１及び後行ウエブＷ２を、又は先行ウエブＷ１のみを後述の如く切断する。
【００５８】
図２〜図１０は、図１に示す継ぎ合わせ装置により実施される突き合わせ継ぎの手順説明図である。この突き合わせ継ぎは、図２に示す第１工程、図３〜図５に示す第２工程、図５に示す第３工程、図６に示す第４工程、図７に示す第５工程、及び図８に示す第６工程を含み、更に、図９、図１０に示す両面接合のための第７工程を含む。
【００５９】
これらの図には、搬送経路下側のウエブ保持ユニット２，接合ローラ３及び支えローラ４、並びに搬送経路上側の押え接合ローラ５及び切断ユニット６の位置を、図１と上、下及び左、右を合わせて示してある。また先行ウエブＷ１と後行ウエブＷ２との区別を可能とするために、先行ウエブＷ１を一点鎖線により示し、後行ウエブＷ２を二点鎖線により示してある。
【００６０】
図２において先行ウエブＷ１は、ガイドローラ１１、１１間の搬送経路を左向きに搬送移動している。ウエブ保持ユニット２、接合ローラ３及び支えローラ４は、搬送経路の下方に離れた待機位置にあり、押え接合ローラ５及び切断ユニット６は、搬送経路の上方に離れた待機位置にある。
【００６１】
後行ウエブＷ２は、待機位置にあるウエブ保持ユニット２の上部を覆い、左側に適長垂れ下がった状態にセットされ、セット完了後の前保持部２ａ及び後保持部２ｂの動作により、これらに吸着保持される。このとき、斜め保持部２ｃは吸着動作しない。また支えローラ４は、昇降シリンダ７３の動作により昇降支持台７上で上昇し、前述した上支え位置にあって、前保持部２ａ及び後保持部２ｂによる保持位置から延びる後行ウエブＷ２の右側部分を下面側から支える。
【００６２】
また接合ローラ３には、左向きの吸着面に接合テープ３１を吸着保持させ、押え接合ローラ５には、右下向きの吸着面に接合テープ５１を吸着保持させておく。なお接合テープ５１の保持は、前述の如く、押え接合ローラ５を手前側又は奥側に引き出して行わせるのが望ましい。
【００６３】
この後、ウエブ保持ユニット２、接合ローラ３及び支えローラ４は、昇降シリンダ７０の動作により上昇し、図３に示す準備位置に移動する。このとき、先行ウエブＷ１の搬送は継続しており、後行ウエブＷ２は、ウエブ保持ユニット２と支えローラ４との間で先行ウエブＷ１の搬送経路の下方に適長離れて対向し、また接合ローラ３も搬送経路の下方に適長離れて対向する。
【００６４】
次いで、先行ウエブＷ１の搬送が一旦休止され、搬送経路の下側では、昇降シリンダ７１の動作によりウエブ保持ユニット２が、また、昇降シリンダ７２の動作により接合ローラ３が夫々上昇し、図４に示す動作位置に移動する。一方、搬送経路の上側では、昇降アクチュエータ８１の動作により押え接合ローラ５が下降し、図４に示す動作位置に移動する。
【００６５】
ウエブ保持ユニット２に吸着保持された後行ウエブＷ２は、動作位置への移動により先行ウエブＷ１の下に重なり、押え接合ローラ５は、動作位置への移動により先行ウエブＷ１に転接し、先行ウエブＷ１及び後行ウエブＷ２は、押え接合ローラ５とウエブ保持ユニット２の前保持部２ａとにより挟持される。
【００６６】
また接合ローラ３は、動作位置への移動により、先行ウエブＷ１を介して左側のガイドローラ１１に転接し。先行ウエブＷ１は、ウエブ保持ユニット２の左側において、接合ローラ３とガイドローラ１１との間に挟持される。
【００６７】
以上の挟持完了後、搬送経路の上側において、昇降アクチュエータ８２の動作により切断ユニット６が下降して図５に示す動作位置に移動する。切断ユニット６の押え体６１は、動作位置への移動により先行ウエブＷ１に上側から当接し、該先行ウエブＷ１を後行ウエブＷ２と重ねてウエブ保持ユニット２の後保持部２ｂとの間に挟持する。また押え体６１は、吸着動作を開始し、後保持部２ｂとの挟持位置の右側に延びる先行ウエブＷ１を吸着面に吸着保持する。
【００６８】
一方、切断ユニット６の切断刃６０は、動作位置への移動により図５に示す位置まで下降する。切断刃６０の先端の切刃は、ウエブ保持ユニット２の前保持部２ａと後保持部２ｂとの間で先行ウエブＷ１及び後行ウエブＷ２の幅方向一側に外れて位置する。切断刃６０は、この後の切断シリンダ６２の動作により、紙面の手前側と奥側との間で搬送経路を横切るように往復移動し、先行ウエブＷ１及び後行ウエブＷ２は、前保持部２ａと後保持部２ｂとの間で切断される。
【００６９】
以上の切断完了後、昇降アクチュエータ８２の動作により切断ユニット６が上昇し、図６に示す如く待機位置に戻る。ウエブ保持ユニット２上には、切断された先行ウエブＷ１及び後行ウエブＷ２が切断端を突き合わせた状態で残る。このとき、切断位置の右側（後側）に連続する先行ウエブＷ１の不要部分は、押え体６１の上昇により後保持部２ｂとの間での挟持が解除された状態となり、図６中に矢符により示す如く除去される。
【００７０】
先行ウエブＷ１の不要部分の除去は、例えば、先行ウエブＷ１を供給用のロールに巻き取ることにより実現される。先行ウエブＷ１の右側部分に重なる後行ウエブＷ２は、後保持部２ｂにより吸着保持されており、また先行ウエブＷ１の左側部分は、前保持部２ａと押え接合ローラ５との間に挟持されているから、先行ウエブＷ１及び後行ウエブＷ２の突き合わせは、先行ウエブＷ１の不要部分の除去後にも維持される。
【００７１】
先行ウエブＷ１の除去完了後、移動シリンダ８０の動作により切断ユニット６は、図７中に矢符によりに示す如く右位置に移動し、動作位置にある押え接合ローラ５は、先行ウエブＷ１及び後行ウエブＷ２の挟持状態を保って時計周りに転動する。これにより押え接合ローラ５に保持された接合テープ５１は、図７に示す如く、先行ウエブＷ１及び後行ウエブＷ２の上面に突き合わせ部を跨ぐように貼着される。
【００７２】
この後、貼着位置の左側（前側）に連続する後行ウエブＷ２の不要部分が図７中に矢符により示す如く除去され、先行ウエブＷ１と後行ウエブＷ２とは、前者の末端と後者の先端とを突き合わせた状態で接合テープ５１により接合される。なお、後行ウエブＷ２の不要部分の除去は、前保持部２ａの吸着を解除し、前述した引き取りロール２０を下降させることにより実現される。
【００７３】
以上の接合完了後、図８に示す如く、ウエブ保持ユニット２は、昇降シリンダ７１の動作により下降して準備位置に移動し、また押え接合ローラ５は、昇降アクチュエータ８１の動作により上昇して待機位置に移動する。この移動は、後保持部２ｂの吸着を解除して実行され、接合テープ５１により接合された先行ウエブＷ１及び後行ウエブＷ２は、ガイドローラ１１及び接合ローラ３と支えローラ４との間に掛け渡された状態となり、突き合わせ継ぎが完了する。後行ウエブＷ２は、この後の搬送再開により、先行ウエブＷ１に連続して送り出される。
【００７４】
以上の如き突き合わせ継ぎは、後行ウエブＷ２の前述したセット及び準備位置への移動までの準備動作の後、先行ウエブＷ１の搬送を休止し、ウエブ保持ユニット２、押え接合ローラ５及び切断ユニット６を夫々関連して動作させることにより実現される。
【００７５】
前述した準備動作は、先行ウエブＷ１の搬送中に行われ、また搬送休止後のウエブ保持ユニット２、押え接合ローラ５及び切断ユニット６の動作は、切断刃６０の動作を含めて単純な動作である。従って、先行ウエブＷ１と後行ウエブＷ２との突き合わせ継ぎを、簡素な構成及び動作により高精度に行わせることができる上、継ぎ合わせに要する時間を短縮し、継ぎ合わせ中の搬送休止時間を最小限に抑えることができ、搬送先との間に設けられる滞留装置の小型化及び負荷の軽減を図ることができる。
【００７６】
図９は、搬送再開後の状態を示している。先行ウエブＷ１には、継ぎ合わせ部分の左側下面に接合ローラ３が転接しており、この接合ローラ３は、搬送再開後の先行ウエブＷ１の移動に伴って、図中に矢符により示す如く反時計周りに回転する。接合ローラ３の周上での接合テープ３１の保持位置は、図９に示す如く、先行ウエブＷ１及び後行ウエブＷ２の接合部と対応するように設定されており、接合テープ３１は、接合ローラ３の転接により、上部の接合テープ５１の逆側から接合部に貼着される。
【００７７】
接合ローラ３は、接合テープ３１の貼着完了後、図１０に示す如く、昇降シリンダ７２の動作により下降して準備位置に移動する。先行ウエブＷ１及び後行ウエブＷ２は、接合テープ３１、５１により両面から強固に接合された状態で搬送され、塗工、コーティング等の処理工程に送り出される。後行ウエブＷ２は、例えば、右下方に位置する保持ロールを上方に移動させることにより、左右のガイドローラ１１、１１間に掛け渡された状態となり、またウエブ保持ユニット２、接合ローラ３及び支えローラ４は、昇降シリンダ７０の動作により下降して待機位置に戻され、図１及び図２に示す初期状態が実現される。
【００７８】
なお、両面接合が不要である場合、図２に示す準備状態において接合テープ３１のセットを省略すればよく、実施の形態の継ぎ合わせ装置によれば、片面接合及び両面接合による突き合わせ継ぎを選択して実施することができる。
【００７９】
更に、図１に示す継ぎ合わせ装置によれば、以下の手順により重ね継ぎを実施することができる。図１１〜図１９は、図１に示す継ぎ合わせ装置により実施される重ね継ぎの手順説明図である。この重ね継ぎは、図１１に示す第１、第２工程、図１２、図１３に示す第３工程、図１３、図１４に示す第４工程、図１４、図１５に示す第５工程、及び図１６、図１７に示す第６工程を含み、更に、図１８、図１９に示す切断縁処理のための第７工程を含む。
【００８０】
これらの図には、図２〜図１０と同様、搬送経路下側のウエブ保持ユニット２，接合ローラ３及び支えローラ４、並びに搬送経路上側の押え接合ローラ５及び切断ユニット６の位置を、図１と上、下及び左、右を合わせて示してある。また先行ウエブＷ１と後行ウエブＷ２との区別を可能とするために、先行ウエブＷ１を一点鎖線により示し、後行ウエブＷ２を二点鎖線により示してある。
【００８１】
図１１は、後行ウエブＷ２のセット状態を示している。このセットは、図２に示す突き合わせ継ぎの場合と同様に行われるが、重ね継ぎの場合、ウエブ保持ユニット２の斜め保持部２ｃも吸着状態とされ、また支えローラ４は、昇降シリンダ７３の動作により昇降支持台７上で下降した下支え位置とされ、後行ウエブＷ２は、図１１に示す如く、ウエブ保持ユニット２の前保持部２ａ，後保持部２ｂ及び斜め保持部２ｃの全てにより吸着保持され、斜め保持部２ｃの右側に延びる部分を下支え位置にある支えローラ４により支えた状態となる。
【００８２】
また重ね継ぎの場合、以上のセット完了後、ウエブ保持部２の前保持部２ａ及び後保持部２ｂに保持された後行ウエブＷ２を、図１１中に黒塗矢符により示す如く、両保持部２ａ、２ｂ間で切断し、切断後の後行ウエブＷ２の上面に切断縁に沿って両面接合テープ９を貼着すると共に、切断位置の左側の不要部分を除去する前処理が行われる。
【００８３】
後行ウエブＷ２の切断は、両保持部２ａ、２ｂ間の隙間をガイドとして作業者の手作業により実施でき、両面接合テープ９の貼着も作業者の手作業により実施できるが、該当位置に専用の装置を設け、該装置の動作により後行ウエブＷ２の切断及び両面接合テープ９の貼着を行わせてもよい。切断後の不要部分は、前保持部２ａの吸着を解除した後、作業者の手作業により図中に矢符により示す如く除去する。このとき、後保持部２ｂは吸着状態を保っており、後行ウエブＷ２の切断端の位置は変化しない。
【００８４】
更に重ね継ぎの場合、接合ローラ３には接合テープ３１を吸着保持させるが、押え接合ローラ５への接合テープ５１の吸着保持は不要であり、該押え接合ローラ５は、以下に示す重ね継ぎの工程においては、押えローラとしての作用をなすのみである。
【００８５】
以上の前処理完了後、ウエブ保持ユニット２、接合ローラ３及び支えローラ４は、昇降シリンダ７０の動作により上昇し、図１２に示す準備位置に移動する。このとき、先行ウエブＷ１の搬送は継続しており、後行ウエブＷ２は、後保持部２ｂ上では、先行ウエブＷ１の搬送経路に近接対向し、後保持部２ｂの右側（後側）では、斜め保持部２ｃに沿って搬送経路から離れて位置する。
【００８６】
一方、搬送経路の上側では、移動シリンダ８０の動作により、押え接合ローラ５及び切断ユニット６が右位置に移動する。この移動により押え接合ローラ５は、後保持部２ｂの上方に搬送経路を挟んで対向し、また切断ユニット６の切断刃６０は、斜め保持部２ｃの上方に搬送経路を挟んで対向する。
【００８７】
次いで、先行ウエブＷ１の搬送が一旦休止され、搬送経路の下側では、昇降シリンダ７１の動作によりウエブ保持ユニット２が上昇し、昇降シリンダ７２の動作により接合ローラ３が上昇し、図１３に示す動作位置に夫々移動する。一方、搬送経路の上側では、昇降アクチュエータ８１の動作により押え接合ローラ５が下降し、図１３に示す動作位置に移動する。
【００８８】
ウエブ保持ユニット２の後保持部２ｂに吸着保持された後行ウエブＷ２は、動作位置への移動により先行ウエブＷ１の下に重なり、後行ウエブＷ２の切断端部は、上面に貼着された両面接合テープ９により先行ウエブＷ１に接合（重ね継ぎ）される。また押え接合ローラ５は、動作位置への移動により先行ウエブＷ１の上面に転接し、先行ウエブＷ１及び後行ウエブＷ２は、両面接合テープ９による接合位置の右側で押え接合ローラ５と後保持部２ｂとの間に挟持される。またこのとき、ウエブ保持ユニット２の前保持部２ａも動作し、先行ウエブＷ１は、接合位置の左側で前保持部２ａの吸着面に吸着保持される。
【００８９】
接合ローラ３は、動作位置への移動により、先行ウエブＷ１を介して左側のガイドローラ１１に転接し。先行ウエブＷ１は、ウエブ保持ユニット２の左方に離れた位置で接合ローラ３とガイドローラ１１との間に挟持される。
【００９０】
この後、昇降アクチュエータ８２の動作により切断ユニット６が下降し、図１４に示す動作位置に移動する。切断ユニット６の押え体６１は、動作位置への移動により、ウエブ保持ユニット２置の右側に延びる先行ウエブＷ１に上側から当接し、該先行ウエブＷ１を吸着面に吸着保持する。
【００９１】
一方、切断ユニット６の切断刃６０は、動作位置への移動により図１４に示す位置まで下降し、切断刃６０の先端の切刃は、ウエブ保持ユニット２の後保持部２ｂと切断ユニット６の押え体６１との間で、先行ウエブＷ１の幅方向一側に外れて位置する。切断刃６０は、この後の切断シリンダ６２の動作により、紙面の手前側と奥側との間で搬送経路を横切るように往復移動し、先行ウエブＷ１を切断する。後行ウエブＷ２は、後保持部２ｂの右側では、斜め保持部２ｃの吸着保持により先行ウエブＷ１の下方に離れて位置しており、切断刃６０の動作により切断される虞れがない。
【００９２】
以上の切断完了後、切断刃６０は、昇降アクチュエータ８２の動作により上昇して図１５に示す待機位置に戻り、切断位置の右側（後側）に連続する先行ウエブＷ１の不要部分は、図１５中に矢符により示す如く除去される。この除去は、例えば、先行ウエブＷ１を供給用のロールに巻き取ることにより実現される。切断位置の左側（前側）に連続する先行ウエブＷ１は、押え接合ローラ５と後保持部２ｂとの間に挟持されており、不要部分の除去後にも切断時の状態を維持する。
【００９３】
先行ウエブＷ１の除去完了後、切断ユニット６は、移動シリンダ８０の動作により図１６に示す如く右位置に移動する。このとき動作位置にある押え接合ローラ５は、先行ウエブＷ１及び後行ウエブＷ２の挟持状態を保って反時計周りに転動し、後保持部２ｂの上位置から前保持部２ａの上位置まで両面接合テープ９による接合位置を経て移動する。この移動により先行ウエブＷ１と後行ウエブＷ２とは、両面接合テープ９に上下両側から押し付けられ、該両面接合テープ９による接合が強化される。
【００９４】
またこのとき、ウエブ保持ユニット２は、斜め保持部２ｃによる吸着を解除し、同時に支えローラ４は、昇降シリンダ７３の動作により昇降支持台７上で上昇して上支え位置に移動する。これにより接合位置の右側（後側）に連続する後行ウエブＷ２は、搬送経路上で先行ウエブＷ１に直線的に連続する態様で支持される。
【００９５】
以上の接合完了後、図１７に示す如く、ウエブ保持ユニット２は、昇降シリンダ７１の動作により下降して準備位置に移動し、押え接合ローラ５は、昇降アクチュエータ８１の動作により上昇して待機位置に移動する。この移動は、後保持部２ｂによる吸着を解除して実行され、両面接合テープ９により接合された先行ウエブＷ１及び後行ウエブＷ２は、ガイドローラ１１及び接合ローラ３と支えローラ４との間に掛け渡された状態となり、重ね継ぎが完了する。後行ウエブＷ２は、この後の搬送再開により、先行ウエブＷ１に連続して送り出される。
【００９６】
以上の如き重ね継ぎは、後行ウエブＷ２のセット、切断、及び両面テープ９の貼着を含む前処理、並びに準備位置への移動までの準備動作の後、先行ウエブＷ１の搬送を休止し、ウエブ保持ユニット２、押え接合ローラ５及び切断ユニット６を夫々関連して動作させることにより実現される。
【００９７】
前述した準備動作は、先行ウエブＷ１の搬送中に行われ、また搬送休止後のウエブ保持ユニット２、押え接合ローラ５及び切断ユニット６の動作は、切断刃６０の動作を含めて単純な動作である。従って、先行ウエブＷ１と後行ウエブＷ２との重ね継ぎを、簡素な構成及び動作により行わせることができる上、継ぎ合わせに要する時間を短縮し、継ぎ合わせ中の搬送休止時間を最小限に抑えることができ、搬送先との間に設けられる滞留装置の小型化及び負荷の軽減を図ることができる。
【００９８】
以上のように、図１に示す継ぎ合わせ装置によれば、動作手順の変更により、突き合わせ継ぎ及び重ね継ぎの両方に対応することができる。
【００９９】
図１８は、搬送再開後の状態を示している。先行ウエブＷ１には、継ぎ合わせ部分の左側下面に接合ローラ３が転接しており、この接合ローラ３は、搬送再開後の先行ウエブＷ１の移動に伴って、図中に矢符により示す如く反時計周りに回転する。接合ローラ３の周上での接合テープ３１の保持位置は、後行ウエブＷ２の切断縁と対応するように設定されており、接合テープ３１は、接合ローラ３が転接する先行ウエブＷ１及び後行ウエブＷ２の下面に、後行ウエブＷ２の切断縁を跨ぐように貼着される。
【０１００】
接合ローラ３は、接合テープ３１の貼着完了後、図１９に示す如く、昇降シリンダ７２の動作により下降して準備位置に移動する。先行ウエブＷ１及び後行ウエブＷ２は、両面接合テープ９及び接合テープ３１により接合された状態で搬送され、塗工、コーティング等の処理工程に送り出される。この後、後行ウエブＷ２は、例えば、右下方に位置する保持ロールを上方に移動させることにより、左右のガイドローラ１１、１１間に掛け渡された状態となり、またウエブ保持ユニット２、接合ローラ３及び支えローラ４は、昇降シリンダ７０の動作により下降して待機位置に戻され、支えローラ４は、昇降シリンダ７３の動作により更に下降して下支え位置に戻され、図１１に示す初期状態が実現される。
【０１０１】
なお、接合テープ３１による貼着は省略してもよく、この場合、図１１に示す準備状態において接合テープ３１のセットが不要である。一方、接合テープ３１を用いた場合、以下に示す利点がある。図２０は、先行ウエブＷ１及び後行ウエブＷ２の接合部分の拡大図であり、図２０Ａは、接合テープ３１を用いない場合を示し、図２０Ｂは，接合テープ３１を用いた場合を示している。
【０１０２】
前述した如く両面テープ９の貼着は、後行ウエブＷ２の切断後の手作業により実施されるから、後行ウエブＷ２の切断端は、図２０Ａに示す如く、両面テープ９による接合部の左側にわずかに突出する場合がある。この突出端は、図中に白抜矢符により示す搬送方向の下流側（前側）に向いており、搬送経路の途中、又は搬送先の処理工程において突出端が引っ掛かり、搬送及び処理に支障を来すという問題が発生する。
【０１０３】
接合テープ３１は、図２０Ａ中に２点鎖線により示す如く、後行ウエブＷ２の切断端を跨ぐように貼着される。従って、接合テープ３１を用いた場合、図２０Ｂに示す如く、両面テープ９による接合部から突出する後行ウエブＷ２の切断端が接合テープ３１により覆われることとなり、前述した問題を未然に回避することができる。
【０１０４】
なお、今回開示された実施の形態は、すべての点で例示であって制限的なものではないと考えられるべきである。本発明の範囲は、上記した意味ではなく、特許請求の範囲によって示され、特許請求の範囲と均等な意味および範囲内でのすべての変更が含まれることが意図される。
【符号の説明】
【０１０５】
２    ウエブ保持ユニット
２ａ  前保持部
２ｂ  後保持部
２ｃ  斜め保持部
３    接合ローラ
４    支えローラ
５    押え接合ローラ（押えローラ）
６    切断ユニット
７    昇降支持台
８    移動支持台
９    両面接合テープ
３１  接合テープ
５１  接合テープ
６０  切断刃
６１  押え体
８１  昇降アクチュエータ
８２  昇降アクチュエータ
Ｗ１  先行ウエブ
Ｗ２  後行ウエブ
【図１】
2017075036.tif 000003
【図２】
2017075036.tif 000004
【図３】
2017075036.tif 000005
【図４】
2017075036.tif 000006
【図５】
2017075036.tif 000007
【図６】
2017075036.tif 000008
【図７】
2017075036.tif 000009
【図８】
2017075036.tif 000010
【図９】
2017075036.tif 000011
【図１０】
2017075036.tif 000012
【図１１】
2017075036.tif 000013
【図１２】
2017075036.tif 000014
【図１３】
2017075036.tif 000015
【図１４】
2017075036.tif 000016
【図１５】
2017075036.tif 000017
【図１６】
2017075036.tif 000018
【図１７】
2017075036.tif 000019
【図１８】
2017075036.tif 000020
【図１９】
2017075036.tif 000021
【図２０】
2017075036.tif 000022
【手続補正書】
【提出日】平成28年11月30日(2016.11.30)
【手続補正１】
【補正対象書類名】明細書
【補正対象項目名】００１１
【補正方法】削除
【補正の内容】
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
本発明に係るウエブの継ぎ合わせ方法は、先行ウエブの末端部に後行ウエブの先端部を重ねて接合し、接合された後行ウエブを先行ウエブに連続して搬送経路に送り出すウエブの継ぎ合わせ方法において、先行ウエブの搬送中に後行ウエブを、前記搬送経路から離れた位置で搬送方向の前後に並ぶ前保持部及び後保持部により下面側から保持させると共に、後保持部の後側に並ぶ斜め保持部により、後方を下とする傾斜姿勢で保持させる第１工程と、前記前保持部及び後保持部により保持した後行ウエブを両保持部間で切断し、前記前保持部側の不要部分を除去する一方、前記後保持部側の後行ウエブの上面に、切断縁に沿って両面接合テープを貼着する第２工程と、前記後保持部が保持する後行ウエブを前記搬送経路に接近させ、搬送を休止した先行ウエブに重ねて、前記両面接合テープにより接合する第３工程と、接合位置の後側で重なる先行ウエブ及び後行ウエブを、前記後保持部と先行ウエブの上面に転接する押えローラとの間に挟持させると共に、挟持位置の後側に連続する先行ウエブを上面に当接する押え体により、前記斜め保持部が保持する後行ウエブの上方に離れた位置で保持させる第４工程と、前記押えローラ及び押え体の間での切断刃の動作により先行ウエブを切断し、切断位置の後側に連続する先行ウエブの不要部分を除去する第５工程と、前記押えローラを前方に転動させて前記両面接合テープによる貼着位置に押し付け、該両面接合テープによる接合を強化した後、前記前保持部、後保持部及び斜め保持部の保持を解除して先行ウエブの搬送を再開し、先行ウエブに接合された後行ウエブを前記搬送経路に送り出す第６工程とを含むことを特徴とする。
【手続補正１０】
【補正対象書類名】特許請求の範囲
【補正対象項目名】全文
【補正方法】変更
【補正の内容】
【特許請求の範囲】
【請求項１】
先行ウエブの末端部に後行ウエブの先端部を重ねて接合し、接合された後行ウエブを先行ウエブに連続して搬送経路に送り出すウエブの継ぎ合わせ方法において、
先行ウエブの搬送中に後行ウエブを、前記搬送経路から離れた位置で搬送方向の前後に並ぶ前保持部及び後保持部により下面側から保持させると共に、後保持部の後側に並ぶ斜め保持部により、後方を下とする傾斜姿勢で保持させる第１工程と、
前記前保持部及び後保持部により保持した後行ウエブを両保持部間で切断し、前記前保持部側の不要部分を除去する一方、前記後保持部側の後行ウエブの上面に、切断縁に沿って両面接合テープを貼着する第２工程と、
前記後保持部が保持する後行ウエブを前記搬送経路に接近させ、搬送を休止した先行ウエブに重ねて、前記両面接合テープにより接合する第３工程と、
接合位置の後側で重なる先行ウエブ及び後行ウエブを、前記後保持部と先行ウエブの上面に転接する押えローラとの間に挟持させると共に、挟持位置の後側に連続する先行ウエブを上面に当接する押え体により、前記斜め保持部が保持する後行ウエブの上方に離れた位置で保持させる第４工程と、
前記押えローラ及び押え体の間での切断刃の動作により先行ウエブを切断し、切断位置の後側に連続する先行ウエブの不要部分を除去する第５工程と、
前記押えローラを前方に転動させて前記両面接合テープによる貼着位置に押し付け、該両面接合テープによる接合を強化した後、前記前保持部、後保持部及び斜め保持部の保持を解除して先行ウエブの搬送を再開し、先行ウエブに接合された後行ウエブを前記搬送経路に送り出す第６工程と
を含むことを特徴とするウエブの継ぎ合わせ方法。
【請求項２】
搬送を再開した先行ウエブの下面に、前記前保持部よりも前位置で接合ローラを転接させ、該接合ローラの周面の一部に保持した接合テープを、先行ウエブ及び後行ウエブの下面に、該後行ウエブの切断端を跨いで貼着する第７工程を更に含むことを特徴とする請求項１に記載のウエブの継ぎ合わせ方法。
【請求項３】
前記前保持部、後保持部及び斜め保持部は、前記後行ウエブを上面への吸着により保持することを特徴とする請求項１又は請求項２に記載のウエブの継ぎ合わせ方法。
【請求項４】
前記押え体は、前記先行ウエブを下面への吸着により保持することを特徴とする請求項１又は請求項２に記載のウエブの継ぎ合わせ方法。
【請求項５】
前記接合ローラは、前記接合テープを周面への吸着により保持することを特徴とする請求項２に記載のウエブの継ぎ合わせ方法。
【請求項６】
先行ウエブの末端部に後行ウエブの先端部を接合し、接合された後行ウエブを先行ウエブに連続して搬送経路に送り出すウエブの継ぎ合わせ装置において、
前記搬送経路の下側で搬送方向の前後に並べて配してあり、搬送経路と対向する上面に後行ウエブを保持する前保持部、後保持部及び斜め保持部と、
前記前保持部、後保持部及び斜め保持部を支持して昇降し、搬送経路に対して接離移動させる昇降支持台と、
前記搬送経路の上側で搬送方向の前後に並べて配された押えローラ、切断刃及び押え体と、
該押えローラ、切断刃及び押え体を支持し、前記前保持部の上方に押えローラが対向する前位置と前記後保持部の上方に押えローラが対向する後位置との間で前後移動させる移動支持台と、
前記押えローラ、切断刃及び押え体を各別に昇降し、搬送経路に対して接離移動させる昇降アクチュエータと
を備えることを特徴とするウエブの継ぎ合わせ装置。
【請求項７】
前記前保持部よりも前位置で前記搬送経路の下側に対向配置されており、周面の一部に接合テープを保持して前記搬送経路に対して接離移動し、接近時に前記先行ウエブ及び後行ウエブの下面に転接して前記接合テープを貼着する接合ローラを更に備えることを特徴とする請求項６に記載のウエブの継ぎ合わせ装置。